(57)【要約】【課題】略直方体形状の商品を収納したとき、ヘッダー部背面と袋体背面フィルム面が略同一平面上に位置し、店頭において壁面に吊り下げたとき、優れた展示効果を発揮する商品吊下包装袋及び商品包装体を提供する。【解決手段】ヘッダー部と袋体部とからなり、袋体部が上縁、下縁、２本の側縁及び上縁から側縁にいたる２本の斜縁からなる六角形状をなし、袋体部下縁においてガゼット折りが形成され、舌片フィルムを袋体背面フィルムと接着する粘着剤層が設けられてなる商品吊下包装袋、及び、該商品吊下包装袋に略直方体形状の商品を収納した商品包装体であって、袋体部の下縁のガゼット折りが開いて包装体の底面となり、舌片フィルムが弛みなく下方に引かれて袋体背面フィルムと接着されることにより、袋体正面フィルムの上部が包装体の天面となり、ヘッダー部背面が袋体背面フィルム面と略同一平面上に位置する商品包装体。【選択図】図３
0003103087.tif 000002
【実用新案登録請求の範囲】
【請求項１】
ヘッダー部と袋体部とからなり、１枚のプラスチックフィルムが折り回されて袋体背面フィルム、袋体正面フィルム、ヘッダー部フィルム及び舌片フィルムを構成する商品吊下包装袋において、袋体部の幅がヘッダー部の幅よりも広く、袋体部が上縁、下縁、２本の側縁及び上縁から側縁にいたる２本の斜縁からなる六角形状をなし、表裏２枚のヘッダー部フィルムの間にヘッダーシートが挿通されてフィルムと溶着され、袋体部下縁において袋体背面フィルムと袋体正面フィルムの間にガゼット折りが形成され、舌片フィルムを袋体背面フィルムと接着する粘着剤層が剥離フィルムにより覆われて袋体背面フィルムに設けられ、舌片フィルムの２本の側縁を除いて、ヘッダー部の２本の側縁、袋体部の２本の斜縁及び袋体部の２本の側縁が溶断されてなることを特徴とする商品吊下包装袋。
【請求項２】
ヘッダー部と袋体部とからなり、１枚のプラスチックフィルムが折り回されて袋体背面フィルム、袋体正面フィルム、ヘッダー部フィルム及び舌片フィルムを構成する商品吊下包装袋において、袋体部の幅がヘッダー部の幅よりも広く、袋体部が上縁、下縁、２本の側縁及び上縁から側縁にいたる２本の斜縁からなる六角形状をなし、表裏２枚のヘッダー部フィルムの間にヘッダーシートが挿通されてフィルムと溶着され、袋体部下縁において袋体背面フィルムと袋体正面フィルムの間にガゼット折りが形成され、舌片フィルムを袋体背面フィルムと接着する粘着剤層が剥離フィルムにより覆われて袋体背面フィルムに設けられ、舌片フィルムの２本の側縁を除いて、ヘッダー部の２本の側縁、袋体部の２本の斜縁及び袋体部の２本の側縁が溶断されてなる商品吊下包装袋に略直方体形状の商品を収納した商品包装体であって、袋体正面フィルムの長さが略直方体形状の商品の二辺の長さの和よりわずかに大きく、袋体部の下縁のガゼット折りが開いて包装体の底面となり、舌片フィルムが弛みなく下方に引かれて袋体背面フィルムと接着されることにより、袋体正面フィルムの上部が包装体の天面となり、ヘッダー部背面が袋体背面フィルム面と略同一平面上に位置することを特徴とする商品包装体。
【考案の詳細な説明】
【技術分野】
【０００１】
本考案は、商品吊下包装袋及び商品包装体に関する。さらに詳しくは、本考案は、ヘッダー部と袋体部とからなる商品吊下包装袋であって、略直方体形状の商品を収納したとき、ヘッダー部背面と袋体背面フィルム面が略同一平面上に位置し、店頭において壁面に吊り下げたとき、優れた展示効果を発揮する商品吊下包装袋及び商品包装体に関する。
【背景技術】
【０００２】
ソフトウェアパッケージ、玩具、化粧品など、略直方体形状の箱に収められて販売される商品が多数存在する。これらの商品の多くは、プラスチックフィルム製のヘッダー付きの包装袋に収納されて店頭に展示される。これらの商品には、顧客の視覚に訴えて購買意欲を起こさせることが重要であり、そのためにさまざまな形状の商品包装袋が考案されている。一方、商品包装袋自体には価値がないので、商品購入後は、リサイクル又は廃棄される運命にある。そのために、商品包装袋は、低コストで製造し得ることが求められる。
商品展示用として、石鹸、弁当箱、コップ、カセットテープのような嵩張りのある立体性の内容物を袋体内部にほぼ一杯に詰め込まれるような商品包装袋として、上部ヘッダーと上部ヘッダーの下部に吊持されたフィルム製袋体とからなり、前記フィルム製袋体は底部にガゼットを設け、フィルム製袋体の上部両側部に形成した傾斜溶断部両側部と広幅両側部を溶断してなる肩落ち商品包装袋であって、前記フィルム製袋体の上部両側部に形成した傾斜溶断部の下端より離間した位置であってフィルム製袋体の前面全幅に相当する開口部を形成し、前記開口部の上縁部より蓋フィルムを下方に延設し、該蓋フィルムの下部内側部に接着面を有してなる商品包装袋が提案されている（特許文献１）。図６は、この商品包装袋に商品を収納した状態を示す側面図である。この図に見られるように、この商品包装袋は、商品を収納したときに、ヘッダー部２２が袋体部２３の上部中央に位置する。このために、店頭の壁面に吊下展示しようとすると、ヘッダーの吊下穴に挿通する支持棒を壁面に設ける必要があるばかりでなく、吊り下げられた商品包装体は宙ぶらりんの状態となり、見映えがせず、消費者に購買意欲を起こさせがたい。
袋体に商品を収納した際に、袋体を構成するフィルムが極薄のものであっても、袋全体としての展開状態を好適に保持し得るガゼット付袋体として、重合された表裏体を両側縁にて溶断溶着してその表裏体間に商品収納部を形成し、前記表裏体間に介装された保形シートによりその上部にヘッダー部を備え、前記表体がヘッダー部の下部より裏体と離間する方向に展開自在なガゼット部を備えた袋体であって、前記保形シートが前記ヘッダーより前記商品収納部に臨んで前記両側縁に沿って下方に延設された保形部を有し、かつ該保形部両側にガゼット部展開に際して該展開方向に折曲される側保形部を夫々有してなるガゼット付袋体が提案されている（特許文献２）。図７は、この袋体の一例の切断部端面図である。この袋体は、ヘッダー部２４から袋体背面フィルム２５まで続く保形シート２６を有するので、ヘッダー部背面が袋体背面フィルム面と略同一平面上に位置し、商品を収納して店頭壁面に展示するとき、ヘッダー部背面と袋体背面フィルム面が壁面に密着して固定され、見映えがよく、消費者に購買意欲を起こさせる。しかし、この袋体は、袋体を構成するフィルムと同程度又はそれ以上の重量の保形シートを使用するので、原材料コストが高くなり、資源の浪費でもある。
このために、より簡単な構造で、略直方体形状の商品を収納したとき、ヘッダー部背面と袋体背面フィルム面が略同一平面上に位置し、店頭壁面に密着して吊下展示し得る商品包装袋が求められている。
【特許文献１】実用新案登録第３０９５７８６号公報（第２頁）
【特許文献２】実公昭５９−３３７９３号公報（第１頁）
【考案の開示】
【考案が解決しようとする課題】
【０００３】
本考案は、ヘッダー部と袋体部とからなる商品吊下包装袋であって、略直方体形状の商品を収納したとき、ヘッダー部背面と袋体背面フィルム面が略同一平面上に位置し、店頭において壁面に吊り下げたとき、優れた展示効果を発揮する商品吊下包装袋及び商品包装体を提供することを目的としてなされたものである。
【課題を解決するための手段】
【０００４】
本考案者は、上記の課題を解決すべく鋭意研究を重ねた結果、略直方体形状の商品を収納する商品吊下包装袋の下縁に、開いたときの幅が該商品の一辺の長さよりわずかに大きいガゼット折りを形成して包装体の底面とし、袋体正面フィルムの長さを該一辺の長さと他の一辺の長さの和よりわずかに大きくして、袋体正面フィルムの上部を包装体の天面とすることにより、保形シートを設けることなく、ヘッダー部背面と袋体背面フィルム面を略同一平面上に位置させ得ることを見いだし、この知見に基づいて本考案を完成するに至った。
すなわち、本考案は、
（１）ヘッダー部と袋体部とからなり、１枚のプラスチックフィルムが折り回されて袋体背面フィルム、袋体正面フィルム、ヘッダー部フィルム及び舌片フィルムを構成する商品吊下包装袋において、袋体部の幅がヘッダー部の幅よりも広く、袋体部が上縁、下縁、２本の側縁及び上縁から側縁にいたる２本の斜縁からなる六角形状をなし、表裏２枚のヘッダー部フィルムの間にヘッダーシートが挿通されてフィルムと溶着され、袋体部下縁において袋体背面フィルムと袋体正面フィルムの間にガゼット折りが形成され、舌片フィルムを袋体背面フィルムと接着する粘着剤層が剥離フィルムにより覆われて袋体背面フィルムに設けられ、舌片フィルムの２本の側縁を除いて、ヘッダー部の２本の側縁、袋体部の２本の斜縁及び袋体部の２本の側縁が溶断されてなることを特徴とする商品吊下包装袋、及び、
（２）ヘッダー部と袋体部とからなり、１枚のプラスチックフィルムが折り回されて袋体背面フィルム、袋体正面フィルム、ヘッダー部フィルム及び舌片フィルムを構成する商品吊下包装袋において、袋体部の幅がヘッダー部の幅よりも広く、袋体部が上縁、下縁、２本の側縁及び上縁から側縁にいたる２本の斜縁からなる六角形状をなし、表裏２枚のヘッダー部フィルムの間にヘッダーシートが挿通されてフィルムと溶着され、袋体部下縁において袋体背面フィルムと袋体正面フィルムの間にガゼット折りが形成され、舌片フィルムを袋体背面フィルムと接着する粘着剤層が剥離フィルムにより覆われて袋体背面フィルムに設けられ、舌片フィルムの２本の側縁を除いて、ヘッダー部の２本の側縁、袋体部の２本の斜縁及び袋体部の２本の側縁が溶断されてなる商品吊下包装袋に略直方体形状の商品を収納した商品包装体であって、袋体正面フィルムの長さが略直方体形状の商品の二辺の長さの和よりわずかに大きく、袋体部の下縁のガゼット折りが開いて包装体の底面となり、舌片フィルムが弛みなく下方に引かれて袋体背面フィルムと接着されることにより、袋体正面フィルムの上部が包装体の天面となり、ヘッダー部背面が袋体背面フィルム面と略同一平面上に位置することを特徴とする商品包装体、
を提供するものである。
【考案の効果】
【０００５】
本考案の商品吊下包装袋は、保形シートを有しない簡単な構成のヘッダー部と袋体部とからなる商品吊下包装袋であって、略直方体形状の商品を収納したとき、ヘッダー部背面と袋体背面フィルム面が略同一平面上に位置し、店頭において壁面に吊り下げたとき、へヘッダー部と袋体部の背面が壁面に密着し、優れた展示効果を発揮する。
【考案を実施するための最良の形態】
【０００６】
本考案の商品吊下包装袋は、ヘッダー部と袋体部とからなり、１枚のプラスチックフィルムが折り回されて袋体背面フィルム、袋体正面フィルム、ヘッダー部フィルム及び舌片フィルムを構成する商品吊下包装袋において、袋体部の幅がヘッダー部の幅よりも広く、袋体部が上縁、下縁、２本の側縁及び上縁から側縁にいたる２本の斜縁からなる六角形状をなし、表裏２枚のヘッダー部フィルムの間にヘッダーシートが挿通されてフィルムと溶着され、袋体部下縁において袋体背面フィルムと袋体正面フィルムの間にガゼット折りが形成され、舌片フィルムを袋体背面フィルムと接着する粘着剤層が剥離フィルムにより覆われて袋体背面フィルムに設けられ、舌片フィルムの２本の側縁を除いて、ヘッダー部の２本の側縁、袋体部の２本の斜縁及び袋体部の２本の側縁が溶断されてなる商品吊下包装袋である。
図１は、本考案の商品吊下包装袋の一態様の背面図及びＡ−Ａ線切断部端面図である。本態様の商品吊下包装袋は、ヘッダー部１と袋体部２とからなり、１枚のプラスチックフィルムが折り回されて、袋体背面フィルム３、袋体正面フィルム４、ヘッダー部フィルム５及び舌片フィルム６を構成している。袋体部２の幅が、ヘッダー部１の幅よりも広く、袋体部が、上縁７、下縁８、２本の側縁９及び上縁から側縁にいたる２本の斜縁１０からなる六角形状をなしている。表裏２枚のヘッダー部フィルム５の間にヘッダーシート１１が挿通されて、ヘッダー部フィルムと溶着線１２において溶着されている。袋体部下縁において、袋体背面フィルム３と袋体正面フィルム４の間にガゼット折り１３が形成されている。
【０００７】
袋体背面フィルム３には、舌片フィルム６を袋体背面フィルムと接着する粘着剤層１４が設けられ、粘着剤層１４は、剥離フィルム１５により覆われている。舌片フィルムの２本の側縁を除いて、ヘッダー部の２本の側縁１６、袋体部の２本の斜縁１０及び袋体部の２本の側縁９が溶断されている。舌片フィルムの２本の側縁に相当する箇所には、あらかじめ溶着防止剤を塗布しておくことにより溶着を防止し、舌片フィルムを開閉自在な状態に保つことができる。ガゼット折りの部分の側縁は、重ねられた４枚のフィルムがすべて溶着した状態で溶断することが好ましい。重ねられた４枚のフィルムすべてを溶着することにより、ガゼット折りを開いたときに、美麗な長方形の形状の包装体の底面を形成することができる。
本考案の商品吊下包装袋の寸法は、収納すべき略直方体形状の商品の寸法に合わせて選定する。略直方体形状の商品の厚さがａ、縦がｂ、横がｃであるとき、ガゼット折りの深さｄは、ａ／２よりわずかに大きい寸法とする。袋体正面フィルムの長さｅは、ａ＋ｂよりわずかに大きい寸法とする。袋体正面フィルム、袋体背面フィルム及び舌片フィルムの幅ｆは、ａ＋ｃよりもわずかに大きい寸法とする。袋体背面フィルムの長さｇは、ｂ又はｂよりわずかに小さい寸法であることが好ましい。各部の寸法を、収納する略直方体形状の商品に対応する寸法よりわずかに大きい寸法とすることにより、商品吊下包装袋を開いたときに略直方体形状の商品よりもわずかに大きい直方体形状の空間が形成され、商品をゆとりをもって、かつ大きな弛みなく収納することができる。
【０００８】
図２は、本考案の商品吊下包装袋の他の態様の背面図及びＢ−Ｂ線切断部端面図である。本態様の商品吊下包装袋は、ヘッダー部１と袋体部２とからなり、１枚のプラスチックフィルムが折り回されて、袋体背面フィルム３、袋体正面フィルム４、ヘッダー部フィルム５及び舌片フィルム６を構成している。袋体部２の幅が、ヘッダー部１の幅よりも広く、袋体部が、上縁７、下縁８、２本の側縁９及び上縁から側縁にいたる２本の斜縁１０からなる六角形状をなしている。表裏２枚のヘッダー部フィルム５の間にヘッダーシート１１が挿通されて、ヘッダー部フィルムと溶着線１２において溶着されている。袋体部下縁において、袋体背面フィルム３と袋体正面フィルム４の間にガゼット折り１３が形成されている。
袋体背面フィルム３と舌片フィルム６には、舌片フィルムを袋体背面フィルムと接着する面ファスナー２７及び２８が設けられれている。面ファスナー２７をフックテープ又はマッシュルームテープ、面ファスナー２８をループテープ又はナッピングテープとすることができ、あるいは、面ファスナー２７をループテープ又はナッピングテープ、面ファスナー２８をフックテープ又はマッシュルームテープとすることもできる。面ファスナーを袋体背面フィルム又は舌片フィルムに接着する方法に特に制限はなく、例えば、接着剤を用いて面ファスナーを袋体背面フィルム又は舌片フィルムに接着することができ、あるいは、面ファスナーの背面にあらかじめ袋体のフィルムと熱溶着し得るフィルムを積層しておき、熱溶着により面ファスナーを袋体背面フィルム又は舌片フィルムに接着することもできる。舌片フィルムの２本の側縁を除いて、ヘッダー部の２本の側縁１６、袋体部の２本の斜縁１０及び袋体部の２本の側縁９が溶断されている。舌片フィルムの２本の側縁に相当する箇所には、あらかじめ溶着防止剤を塗布しておくことにより溶着を防止し、舌片フィルムを開閉自在な状態に保つことができる。ガゼット折りの部分の側縁は、重ねられた４枚のフィルムがすべて溶着した状態で溶断することが好ましい。重ねられた４枚のフィルムすべてを溶着することにより、ガゼット折りを開いたときに、美麗な長方形の形状の包装体の底面を形成することができる。
【０００９】
本考案の商品包装体は、本考案の商品吊下包装袋に略直方体形状の商品を収納した商品包装体であって、袋体正面フィルムの長さが略直方体形状の商品の二辺の長さの和よりわずかに大きく、袋体部の下縁のガゼット折りが開いて包装体の底面となり、舌片フィルムが弛みなく下方に引かれて袋体背面フィルムと接着されることにより、袋体正面フィルムの上部が包装体の天面となり、ヘッダー部背面が袋体背面フィルム面と略同一平面上に位置する商品包装体である。
図３は、本考案の商品包装体の一態様の正面図及び側面図であり、図４は、その斜視図である。図１に示す商品吊下包装袋の舌片フィルム６を持ち上げて、袋の中に略直方体形状の商品１７を収納する。舌片フィルムの両側縁は溶着されていないので、開口部が大きく開き、容易に商品を挿入することができる。略直方体形状の商品の寸法は、厚さがａ、縦がｂ、横がｃである。袋の中に商品を挿入すると、ガゼット折りが開いて、二辺の長さがそれぞれａ、ｃよりもわずかに大きい長方形の底面１８が形成される。次いで、舌片フィルム６を弛みがないように下方に引っ張ると、袋体正面フィルムは、商品の形状にしたがって折れ曲がり、二辺の長さがそれぞれｂ、ｃよりもわずかに大きい長方形の正面１９と、辺の長さがそれぞれａ、ｃよりもわずかに大きい長方形の天面２０とが形成される。このとき、ヘッダー部１の背面は、袋体背面フィルム３の面と略同一平面上の位置となる。また、袋体正面フィルムと袋体背面フィルムの左右端の部分により、二辺の長さがそれぞれａ、ｂよりもわずかに大きい長方形の側面２１が形成される。この状態で剥離フィルム１５を引き剥がし、粘着剤層１４により舌片フィルム６を袋体背面フィルム３に接着し、本考案の商品包装体を完成する。
図５は、本考案の商品包装体の他の態様の正面図及び側面図である。図２に示す商品吊下包装袋の舌片フィルム６を持ち上げて、袋の中に略直方体形状の商品１７を収納する。舌片フィルムの両側縁は溶着されていないので、開口部が大きく開き、容易に商品を挿入することができる。袋の中に商品を挿入すると、ガゼット折りが開いて、長方形の底面１８が形成される。次いで、舌片フィルム６を弛みがないように下方に引っ張ると、袋体正面フィルムは、商品の形状にしたがって折れ曲がり、長方形の正面１９と長方形の天面２０とが形成される。このとき、ヘッダー部１の背面は、袋体背面フィルム３の面と略同一平面上の位置となる。また、袋体正面フィルムと袋体背面フィルムの左右端の部分により、長方形の側面２１が形成される。この状態で面ファスナー２７及び２８により、舌片フィルム６を袋体背面フィルム３に接着し、本考案の商品包装体を完成する。
【産業上の利用可能性】
【００１０】
本考案の商品吊下包装袋は、構造が簡単であって、袋体用フィルムとヘッダーシートという最小限の原材料を用いて経済的に製造することができ、略直方体形状の商品を収納した商品包装体は、略直方体形状の袋体部が形成され、ヘッダー部背面が袋体背面フィルム面と略同一平面上に位置するので、店頭の壁面に密着させて見映えよく展示することができる。
【図面の簡単な説明】
【００１１】
【図１】本考案の商品吊下包装袋の一態様の背面図及び切断部端面図である。
【図２】本考案の商品吊下包装袋の他の態様の背面図及び切断部端面図である。
【図３】本考案の商品包装体の一態様の正面図及び側面図である。
【図４】本考案の商品包装体の一態様の斜視図である。
【図５】本考案の商品包装体の他の態様の正面図及び側面図である。
【図６】従来の商品包装体の一例の側面図である。
【図７】従来の商品包装袋の一例の切断部端面図である。
【符号の説明】
【００１２】
１  ヘッダー部
２  袋体部
３  袋体背面フィルム
４  袋体正面フィルム
５  ヘッダー部フィルム
６  舌片フィルム
７  上縁
８  下縁
９  側縁
１０  斜縁
１１  ヘッダーシート
１２  溶着線
１３  ガゼット折り
１４  粘着剤層
１５  剥離フィルム
１６  側縁
１７  略直方体形状の商品
１８  底面
１９  正面
２０  天面
２１  側面
２２  ヘッダー部
２３  袋体部
２４  ヘッダー部
２５  袋体背面フィルム
２６  保形シート
２７  面ファスナー
２８  面ファスナー
【図１】
0003103087.tif 000003
【図２】
0003103087.tif 000004
【図３】
0003103087.tif 000005
【図４】
0003103087.tif 000006
【図５】
0003103087.tif 000007
【図６】
0003103087.tif 000008
【図７】
0003103087.tif 000009